(57)【要約】【課題】導光体が用いられる画像読取装置において、発熱過多の問題を生じさせずに読取に十分な光量を得つつ、フレアー光による画像劣化を防止する。【解決手段】光源装置１０は、光源１２０と、光源１２０から入射する光を出射面１７に向けて反射させる導光体１７１，１７２と、導光体１７１，１７２を保持する保持部材１９とを備える。保持部材１９は、導光体１７１，１７２の出射面１７を除き、光源１２０の光軸方向に延びる導光体１７１，１７２の側面部及び反射面１５を覆って設けられる。保持部材１９の外側面は光反射を抑制する反射抑制部とされ、内側面は光源１２０から入射する光を反射させる反射部とされている。【選択図】図２
2015050583.tif 000002
【特許請求の範囲】
【請求項１】
光を照射する光源と、
長手方向における両端部の少なくとも一方に設けられ、前記光源が取り付けられて当該光源の照射する光が内部に入射される入射面と、
前記入射面から入射する光の光軸方向に延びる側面部の一部を形成し、当該入射した光を出射する出射面と、
前記出射面に対向する位置において前記光軸方向に延び、前記入射する光を前記出射面に向けて反射させる複数の光反射パターンが形成された反射面とを有し、前記光軸方向に延びる光透過部材からなる導光体と、
少なくとも前記導光体の出射面における光出射領域を除き前記光軸方向に延びる前記側面部及び前記反射面を覆って設けられ、外側面が光反射を抑制する反射抑制部とされ、内側面が前記入射する光を反射させる反射部とされた反射光調整部材と、を備えた光源装置。
【請求項２】
前記反射光調整部材は、前記外側面が黒色とされ、前記内側面が白色とされている請求項１に記載の光源装置。
【請求項３】
前記反射光調整部材は、前記内側面の光反射率が８０％以上とされ、前記外側面の光反射率が２０％以下とされている請求項１又は請求項２に記載の光源装置。
【請求項４】
前記反射光調整部材は、前記外側面が無光沢面とされている請求項１乃至請求項３のいずれかに記載の光源装置。
【請求項５】
前記光軸方向における前記導光体の両端部の側面が前記入射面とされた請求項１乃至請求項４のいずれかに記載の光源装置。
【請求項６】
読取光軸を挟んで両側にそれぞれ前記導光体及び当該導光体に設けられた前記光源が配設され、当該両方の導光体により読取対象を照射する請求項１乃至請求項５のいずれかに記載の光源装置。
【請求項７】
請求項６に記載の光源装置と、
前記導光体から出射する前記光源からの光の読取対象物での反射光を受けて電気信号に変換し、当該読取対象物の画像情報を取得する撮像部と、
前記読取対象物での反射光を前記撮像部に向けて反射させる反射ミラーと、を備える画像読取装置。
【請求項８】
前記導光体の前記反射光調整部材は、少なくとも、前記読取対象物からの反射光を前記撮像部に入射可能となる方向に反射させる前記導光体の前記側面部部分に設けられている請求項７に記載の画像読取装置。
【発明の詳細な説明】
【技術分野】
【０００１】
本発明は、光源装置及び画像読取装置に関し、特に、照明対象物に向けた光照射及び当該導光体に入射する当該照明対象物からの反射光の取り扱いに関する。
【背景技術】
【０００２】
複合機等の画像形成装置では、スキャナー等の画像読取装置の光源部として、棒状の樹脂製導光体と、当該導光体の長さ方向側部から導光体内部に光を照射するＬＥＤとを組み合わせたライン光源を採用したものがある。当該光源部は、ラインセンサーの読取に合わせて、読取対象の原稿をライン状に照明する。このために、導光体から光を出射させる出射面と対向する面に、光反射又は光散乱パターンを設け、そのパターンにより出射面に向けて導光体内に入射された光を偏向させて、ライン状の照明光を原稿に向かう方向に出射させている。例えば、下記特許文献１には、サイドライト方式の照明ユニットにおいて、装置の小型化を実現し、両側から原稿に光を容易に照射するために、一本の導光体内に拡散面を２面配置した２分岐線状光源装置が提案されている。
【先行技術文献】
【特許文献】
【０００３】
【特許文献１】特開２００８−２１６４０９号公報
【発明の概要】
【発明が解決しようとする課題】
【０００４】
上記のような光源装置を有する画像読取装置は、導光体から原稿面に照射した光の当該原稿面での反射光は、原稿面に対向して配置されているミラーを介してＣＣＤ等の光電変換部まで導かれ、この光電変換部において当該反射光を電気信号に変換することで、当該原稿面を読み取った画像情報を取得する。
【０００５】
しかしながら、特許文献１に示される光源装置は、光源及び導光体の組が１つと、読取光軸を挟んでこれと対向する位置に反射板を設け、導電体を介した光源からの光と反射板からの反射光とにより読取面を照射する構成である。この構成は、原稿面に対する照射位置が光軸（原稿読取位置）から遠い配置であるため、フレアー光の影響は比較的少ない。しかし、１つの導光体により原稿面への照射を行うため、読取に十分な光量を得るために光源として高輝度のＬＥＤ等を使用する必要がある。１つの導光体による光照射では、得られる光量に限界がある。また、あまり高輝度なＬＥＤを用いると発熱が非常に多くなり、ＬＥＤの短命化や導光体の変形等の懸念があるため、温度対策に大容量のヒートシンクを用いる等の対策が必要になる。
【０００６】
本発明は、上記の問題を解決するためになされたもので、導光体が用いられる画像読取装置において、発熱過多の問題を生じさせずに読取に十分な光量を得つつ、フレアー光による画像劣化を防止することを目的とする。
【課題を解決するための手段】
【０００７】
本発明の一局面に係る光源装置は、光を照射する光源と、長手方向における両端部の少なくとも一方に設けられ、前記光源が取り付けられて当該光源の照射する光が内部に入射される入射面と、前記入射面から入射する光の光軸方向に延びる側面部の一部を形成し、当該入射した光を出射する出射面と、前記出射面に対向する位置において前記光軸方向に延び、前記入射する光を前記出射面に向けて反射させる複数の光反射パターンが形成された反射面とを有し、前記光軸方向に延びる光透過部材からなる導光体と、少なくとも前記導光体の出射面における光出射領域を除き前記光軸方向に延びる前記側面部及び前記反射面を覆って設けられ、外側面が光反射を抑制する反射抑制部とされ、内側面が前記入射する光を反射させる反射部とされた反射光調整部材と、を備えたものである。
【０００８】
例えば、読取面（原稿面）に対する読取光軸を挟んで両側にそれぞれ導光体及び光源を配置して当該原稿面を照射し、その反射光を反射ミラーにより光電変換装置を備える撮像部に導いて原稿画像を読み取る画像読取装置に、本発明に係る光源装置を用いた場合、導光体から出射して原稿面で乱反射した反射光の一部が、対向配置されている導光体側に向かっても、この反射光は、対向配置されている導光体の側面部に設けられた反射光調整部材における上記反射抑制部に入射するため、当該導光体から反射ミラーに向かって反射する光の量が低減される。このため、本発明に係る光源装置を用いれば、フレアー光として撮像装置に入射する光の量を低減でき、原稿反射率に忠実な精度のよい画像読取を行うことができる。また、本発明による光源装置によれば、上記のように２つの導光体及び光源を配置して原稿面を読み取る構成としてもフレアー光による画像劣化が少ないことから、フレアー光を低減するために照射光量の大きい１つの導光体及び光源とこれに対向して配置される反射板とする構成を採る必要がないので、１つの導光体及び光源を用いることで発熱が過多になる問題も生じない。
【発明の効果】
【０００９】
本発明によれば、導光体が用いられる光源装置において、発熱過多の問題を生じさせずに読取に十分な光量を得つつ、フレアー光による画像劣化を防止できる。
【図面の簡単な説明】
【００１０】
【図１】本発明の一実施形態に係る光源装置を画像読取装置に有する画像形成装置の構造を示す正面断面図である。
【図２】画像読取装置の概略構成を示す内部側面図である。
【図３】光源装置を示す斜視図であり、内部構成を示した図である。
【図４】光源装置において、反射面の光反射パターンが入射光を出射面に向けて反射させる様子を示す図である。
【発明を実施するための形態】
【００１１】
以下、本発明の一実施形態に係る光源装置、及びこれを備えた画像読取装置について図面を参照して説明する。図１は、本発明の一実施形態に係る光源装置を画像読取装置に有する画像形成装置の構造を示す正面断面図である。
【００１２】
本発明の一実施形態に係る画像形成装置１は、例えば、コピー機能、プリンター機能、スキャナー機能、及びファクシミリ機能のような複数の機能を兼ね備えた複合機である。画像形成装置１は、装置本体１１Ａに、操作部４７、画像形成部１２、定着部１３、給紙部１４、原稿給送部６、及び画像読取装置５等を備えて構成されている。
【００１３】
操作部４７は、画像形成装置１が実行可能な各種動作及び処理について操作者から画像形成動作実行指示や原稿読取動作実行指示等の指示を受け付ける。操作部４７は、操作者への操作案内等を表示する表示部４７３を備えている。
【００１４】
画像形成装置１が原稿読取動作を行う場合、原稿給送部６により給送されてくる原稿、又はコンタクトガラス（原稿載置ガラス）１６１に載置された原稿の画像を画像読取装置５が光学的に読み取り、画像データを生成する。画像読取装置５により生成された画像データは内蔵ＨＤＤ又はネットワーク接続されたコンピューター等に保存される。
【００１５】
画像形成装置１が画像形成動作を行う場合は、上記原稿読取動作により生成された画像データ、又はネットワーク接続されたコンピューターやスマートフォン等のユーザー端末装置から受信した画像データ、又は内蔵ＨＤＤに記憶されている画像データ等に基づいて、画像形成部１２が、給紙部１４から給紙される記録媒体としての記録紙Ｐにトナー像を形成する。画像形成部１２の画像形成ユニット１２Ｍ、１２Ｃ、１２Ｙ、及び１２Ｂｋは、感光体ドラムと、感光体ドラムへトナーを供給する現像装置と、トナーを収容するトナーカートリッジ（不図示）と、帯電装置と、露光装置と、一次転写ローラー１２６とをそれぞれ備えている。
【００１６】
カラー印刷を行う場合、画像形成部１２のマゼンタ用の画像形成ユニット１２Ｍ、シアン用の画像形成ユニット１２Ｃ、イエロー用の画像形成ユニット１２Ｙ及びブラック用の画像形成ユニット１２Ｂｋは、それぞれに、画像データを構成するそれぞれの色成分からなる画像に基づいて、帯電、露光及び現像の工程により感光体ドラム１２１上にトナー像を形成し、トナー像を一次転写ローラー１２６により、駆動ローラー１２５ａ及び従動ローラー１２５ｂに張架されている中間転写ベルト１２５上に転写させる。
【００１７】
中間転写ベルト１２５は、その外周面にトナー像が転写される像担持面が設定され、感光体ドラム１２１の周面に当接した状態で駆動ローラー１２５ａによって駆動される。中間転写ベルト１２５は、各感光体ドラム１２１と同期しながら、駆動ローラー１２５ａと従動ローラー１２５ｂとの間を無端走行する。
【００１８】
中間転写ベルト１２５上に転写される各色のトナー画像は、転写タイミングを調整して中間転写ベルト１２５上で重ね合わされ、カラーのトナー像となる。二次転写ローラー２１０は、中間転写ベルト１２５の表面に形成されたカラーのトナー像を、中間転写ベルト１２５を挟んで駆動ローラー１２５ａとのニップ部Ｎにおいて、給紙部１４から搬送路１９０を搬送されてきた記録紙Ｐに転写させる。この後、定着部１３が、記録紙Ｐ上のトナー像を熱圧着により記録紙Ｐに定着させる。定着処理の完了したカラー画像形成済みの記録紙Ｐは、排出トレイ１５１に排出される。
【００１９】
給紙部１４は、複数の給紙カセットを備える。制御部（不図示）は、操作者による指示で指定されたサイズの記録紙が収容された給紙カセットのピックアップローラー１４５を回転駆動させて、各給紙カセットに収容されている記録紙Ｐを上記ニップ部Ｎに向けて搬送させる。
【００２０】
次に、画像読取装置の構成を説明する。図２は画像読取装置５の概略構成を示す内部側面図である。
【００２１】
画像読取装置５は、図２に示すように、光走査装置７及び撮像部８を備えている。
【００２２】
光走査装置７は、第１光学系ユニット７１と、第２光学系ユニット７２とを備えている。
【００２３】
第１光学系ユニット７１は、光源装置１０と、第１ミラー７１１とを備えている。光源装置１０は、原稿の読取面（原稿面）に向けて（図２では上方に向かって）光を照射すべく、コンタクトガラス１６１に対向してその下方に配置されている。光源装置１０は、２つの導光体１７１，１７２と、導光体１７１，１７２にそれぞれ配設された光源１２０及び保持部材１９とを備える。これら導光体１７１，１７２、光源１２０及び保持部材１９は、第１光学系ユニット７１の支持部材７０に配設されている。
【００２４】
導光体１７１，１７２は、透明な棒状の部材である。導光体１７１，１７２は、図２における奥行き方向に延びる。導光体１７１，１７２の延びる方向が原稿読取時の主走査方向である。
【００２５】
光源１２０は、導光体１７１，１７２の長さ方向の各端部（両端部）にそれぞれ設けられている。光源１２０は、取り付けられている導光体の長さ方向を光軸として当該導光体の内部に向けて光を照射する。上記読取面は導光体１７１，１７２の長さ方向に延びている。光源１２０は、導光体１７１，１７２の光反射により、当該読取面に対して図２ではその斜め下から当該読取面を照射する。副走査方向において読取光軸Ａを挟んだ両側に導光体が配置され、読取光軸Ａを挟んだ一方側に導光体１７１が設けられ、他方側に導光体１７２が設けられている。
【００２６】
導光体１７１，１７２は、それぞれ保持部材（反射光調整部材の一例）１９により保持され、支持部材７０に取り付けられている。保持部材１９は、保持する導光体の側面部から下部を覆っている。
【００２７】
第１ミラー（反射ミラーの一例）７１１は、コンタクトガラス１６１に載置された原稿を光源装置１０が照射した光の原稿読取面での反射光を受けて、当該反射光を水平方向に方向転換させる。第１ミラー７１１は、コンタクトガラス１６１の下方位置であって、上記読取面に直交する読取光軸Ａの位置に配置される。すなわち、導光体１７１，１７２及び光源１２０は、上記読取面に直交する読取光軸Ａが、読取面の直下に配置された第１ミラー７１１に向かうように配置されている。光源装置１０及び第１ミラー７１１は、支持部材７０に取り付けられている。
【００２８】
第２光学系ユニット７２は、第２ミラー７２１と、第３ミラー７２２とを備えている。第２ミラー７２１は、第１光学系ユニット７１の第１ミラー７１１が反射させた光を受けて、さらに略垂直下方に方向転換させる。第３ミラー７２２は、第２ミラー７２１が反射させた光を、さらに略水平に方向転換させて、撮像部８の方向に導く。これら第２ミラー７２１及び第３ミラー７２２は、図示しない支持部材に取り付けられている。第２ミラー７２１及び第３ミラー７２２は、反射ミラーの一例である。
【００２９】
なお、第１光学系ユニット７１及び第２光学系ユニット７２に設けられた光源装置１０及び上記各ミラーは、上記主走査方向にコンタクトガラス１６１（原稿読取幅）と同じ程度の長さで延びる細長い形状とされている。
【００３０】
画像読取装置５の内部には、上記矢印方向に光走査装置７の移動を案内する図略の移動用のレールが設けられている。これにより、第１光学系ユニット７１及び第２光学系ユニット７２を備えた光走査装置７は、コンタクトガラス１６１に載置された原稿の読取面全体の画像情報を読み取るべくコンタクトガラス１６１表面と平行に、副走査方向（主走査方向に直交する方向）、すなわち、図２に示す矢印方向に往復移動可能とされている。
【００３１】
撮像部８は、画像読取装置５内部の下部に固定されている。撮像部８は、光学部材である結像レンズ８１と、撮像素子であるラインセンサー８２とを備えている。第２光学系ユニット７２の第３ミラー７２２によって反射された、原稿の読取面からの反射光は結像レンズ８１に入射する。結像レンズ８１は光路の下流側に設けられたラインセンサー８２の表面上に、当該反射光を結像させる。ラインセンサー８２は、受光した光の光量に応じて当該光量を示す電圧を生成し、すなわち、受光素子が得る光情報を電気信号に変換して、図略の制御部に出力する。このようにして、ラインセンサー８２により、画像読取装置５で読取対象とされる原稿の画像が読み取られる。
【００３２】
次に、画像読取装置５に備えられる光源装置１０を説明する。図３は光源装置１０が備える導光体及び光源を示す斜視図であり、内部構成を示した図である。図４は、反射面１５の光反射パターンが入射光を出射面に向けて反射させる様子を示す図である。
【００３３】
上述したように、光源装置１０は、２つの導光体１７１，１７２と、導光体１７１，１７２のそれぞれに配設された光源１２０及び保持部材１９とを備える。導光体１７１，１７２の構成は同様であるため、図３には、導光体１７１を図示し、その長さ方向一端部を図示している。
【００３４】
導光体１７１は、その長さ方向の両端端部にそれぞれ設けられた光源１２０から当該導光体１７１の内部に入射される光の光軸方向を長手方向として、当該方向に延びる。導光体１７１は、上述したように主走査方向に延びるため、当該光軸方向と主走査方向とは一致している。導光体１７１は、例えば樹脂製の光透過部材からなり、反射面１５により、光源１２０から入射される光を一定方向（出射面１７に向かう方向）に向けて反射させる。なお、光源１２０は、導光体１７１の長さ方向の一端部のみに設けられるものとしてもよい。本実施形態では、導光体１７１の長さ方向の両端部に光源１２０が設けられている例を用いて説明する。
【００３５】
導光体１７１は、入射面１８と、出射面１７と、反射面１５とにより形成されている。
【００３６】
入射面１８は、導光体１７１の長手方向における両端部の少なくとも一方の側面が当該入射面とされる。本実施形態では、上記のように、両端部の側面が入射面１８とされる形態を説明する。各入射面１８にはそれぞれ光源１２０が取り付けられている。当該光源１２０の照射する光が、入射面１８から導光体１７１の内部に入射する。
【００３７】
出射面１７は、主走査方向に延び、導光体１７１の側面部の一部をなす。本実施形態では、出射面１７は導光体１７１の上面部を形成している。入射面１８から導光体１７１の内部に入射した光は、反射面１５で反射されて、当該出射面１７から導光体１７１の外部に出射する。
【００３８】
反射面１５は、出射面１７に対向する位置において主走査方向に延びる。本実施形態では、反射面１５は導光体１７１の下面部を形成している。反射面１５には、図４に示すように、入射面１８から入射する光を出射面１７に向けて反射させる複数の光反射パターン１６が形成されている。光反射パターン１６は、導光体１７１と同一素材により一体的に形成されている。
【００３９】
光源１２０は、例えばＬＥＤ１２１からなる。光源１２０は、導光体１７１の入射面１８の外面に取り付けられる。本実施形態では、光源１２０として、６つのＬＥＤ１２１が設けられた例を示す。光源１２０が入射面１８から導光体１７１の内部に向けて照射する光の照射方向（光軸方向）は、導光体１７１の長さ方向、すなわち、主走査方向である。
【００４０】
反射面１５上に、出射面１７に向けて突出した逆V字形状のプリズムからなる光反射パターン１６が形成されている場合、各光反射パターン１６間の主走査方向におけるピッチ、光反射パターン１６の高さや幅（副走査方向の長さ）等を可変させることで、光反射パターン１６の反射面１５が出射面１７方向に反射させる光の量が調節される。このため、主走査方向の各位置に配置される光反射パターン１６の上記ピッチ、高さ、又は幅等を調整することで、主走査方向の各位置から出射される照明光の均一化が可能となっている。
【００４１】
このように構成される導光体１７１，１７２は、図２に示したように、互いに対向させて配置され、上記読取面をその下方から照射する。
【００４２】
続いて、保持部材１９を説明する。保持部材１９は、上述したように、導光体１７１を保持する部材である。保持部材１９は、図３に示すように、導光体１７１の出射面１７を除いた導光体１７１の外面であって、導光体１７１の側面部２０部分及び反射面１５を覆う領域に配置される。保持部材１９は、導光体１７１の長さ方向、すなわち、側面部２０部分及び反射面１５を覆った状態で、光源１２０から導光体１７１の内部に照射される光の光軸方向に延び、当該長さ方向の一端部から他端部までに亘って配設されている。保持部材１９は、外側面１９１が光反射を抑制する反射抑制部とされ、内側面１９２が光を反射させる反射部とされている。
【００４３】
図２に示した構成を採る画像読取装置５では、導光体１７１，１７２から出射した光は読取面で乱反射する。このとき、一方の導光体から出射した光の当該読取面での反射光はその一部が、対向配置されている他方の導光体側に向かう。仮に、導光体が保持部材１９を有していなければ、他方側の導光体に向かう当該反射光は、導光体の側面部等で反射して一部が第１ミラー７１１に向かい、撮像部８に入射する。導光体から反射する当該光が撮像部８に入射すると、フレアー光となって原稿反射率に忠実な読取ができず画像劣化が発生する。このフレアー光は、例えば、白地部分が黒地領域に囲まれると撮像部８からの出力が低くなり（黒っぽくなる）、逆に黒地部が白地領域に囲まれると撮像部８からの出力が高くなる（白っぽくなる）という現象を生じさせ、黒地部の周りの白地部のかぶりや細線が途切れるという問題を生じさせる。また、カラー画像の読取の場合は、読取で得られるはずの本来の色調が変わってしまうという不具合が生じるおそれがある。
【００４４】
しかしながら、本実施形態では、導光体１７１，１７２は、いずれも保持部材１９を有し、他方の導光体に向かう上記反射光は、外側面１９１に入射するため、読取面での反射光が導光体１７１，１７２で反射して第１ミラー７１１に向かう光の量が低減する。これにより、本実施形態に係る光源装置１０を用いれば、フレアー光として撮像部８に入射する光の量を低減できることになり、画像読取装置５において、原稿反射率に忠実な精度のよい画像読取を行うことができる。また、内側面１９２は光源１２０から導光体の内部に入射した光であって導光体から漏れた光を反射させて出射面に導くことができるため、この点でも、効率のよい原稿照射及び画像読取を行うことが可能になる。
【００４５】
また、本実施形態に係る光源装置１０によれば、上記のように２つの導光体１７１，１７２及び光源１２０を配置して読取面（原稿面）を読み取る構成を採っても、フレアー光による画像劣化が少ないことから、フレアー光を低減するために照射光量の大きい１つの導光体及び光源を用いる構成を導入する必要も生じないので、１つの導光体及び光源による発熱が過多になる問題もない。
【００４６】
保持部材１９について更に説明する。例えば、保持部材１９は、外側面１９１が黒色とされ、内側面１９２が白色とされる。上記のように外側面１９１は当該外側面１９１に入射した光の反射光を低減させる役割を有するため、光反射率が他色の比べ比較的低い黒色とすることが好ましい。一方、内側面１９２を白色とすることで内側面１９２による光反射率を上げ、上記導光体１７１，１７２から漏れた光を更に効率よく出射面１７に導くことが可能になる。
【００４７】
さらに、保持部材１９は、内側面１９２の光反射率が８０％以上とされ、外側面の光反射率が２０％以下とされることが好ましい。この構成によれば、より的確に外側面１９１に入射した光の反射光を低減でき、導光体１７１，１７２から漏れた光に関しては、更に効率よく出射面１７まで導くことが可能になる。
【００４８】
また更に、保持部材１９は、外側面１９１が無光沢面とされることが好ましい。これによれば、更に的確に外側面１９１に入射した光の反射光を低減できる。
【００４９】
なお、本発明は上記実施の形態の構成に限られず種々の変形が可能である。例えば、上記各実施形態では、保持部材１９は、導光体１７１，１７２の出射面１７以外となる側面部２０及び反射面１５を覆うものとしたが、保持部材１９は、少なくとも、読取面からの反射光を撮像部８に入射可能となる方向に反射させる導光体１７１，１７２の側面部（外面部）部分を覆うように設けられていればよい。例えば、出射面１７であっても、読取面からの反射光が入射する部分がある場合には、当該入射部分を更に保持部材１９が覆うように構成してもよい。また、上記実施形態では、保持部材１９を導光体１７１，１７２に対して接触させて取り付けているが、これに限られず、導光体１７１，１７２に対して保持部材１９が間隙を有して取り付けられていてもよい。
【００５０】
また、上記各実施形態では、光源１２０としてＬＥＤ１２１を備えるものを示したが、導光体１７１，１７２の上記端部となる側面から、導光体１７１の内部に向けて主走査方向に光を出射できるものであれば、ＬＥＤには限定されない。
【００５１】
また、図１乃至図４を用いて上記各実施形態に示した構成及び処理は、本発明の一実施形態に過ぎず、本発明の構成及び処理はこれに限定されるものではない。
【符号の説明】
【００５２】
１      画像形成装置
５      画像読取装置
７      光走査装置
１０    光源装置
１２    画像形成部
１２０  光源
１７１，１７２  導光体
１６    光反射パターン
１７    出射面
１８    入射面
１９    保持部材
２０    側面部
７０    支持部材
７１    第１光学系ユニット
７１１  第１ミラー
７２    第２光学系ユニット
７２１  第２ミラー
７２２  第３ミラー
８      撮像部
８１    結像レンズ
８２    ラインセンサー
【図１】
2015050583.tif 000003
【図２】
2015050583.tif 000004
【図３】
2015050583.tif 000005
【図４】
2015050583.tif 000006